(57)【要約】【課題】簡単な工具で防食スリーブを金属管の切削孔に確実に装着でき、しかも、穿孔穴のバラツキの影響を受けることなく、防食スリーブが作業時に分水栓内で脱落するおそれがない防食スリーブの装着工具を提供すること。【解決手段】上端部にフランジ部１２ａを有する筒体１２ｂの外周部に係合溝を形成し、この筒体には、剛性スリーブ１１とスリーブ本体９を挿入してフランジ部１２ａに剛性スリーブ１１の上端部を係合すると共に、剛性スリーブ１１の下部をスリーブ本体９の開口部１０より挿入すると共に、係合溝１２ｃにスリーブ本体の内周面に形成した突起部８ｃを係合して仮固着状態にした防食スリーブの装着工具である。【選択図】    図  １
2006112634.tif 000002
【特許請求の範囲】
【請求項１】
上端部にフランジ部を有する筒体又は円柱体の外周部に係合溝を形成し、この筒体又は円柱体には、剛性スリーブとスリーブ本体を挿入して前記フランジ部に前記剛性スリーブの上端部を係合すると共に、前記剛性スリーブの下部を前記スリーブ本体の開口部より挿入すると共に、前記係合溝に前記スリーブ本体の内周面に形成した突起部を係合して仮固着状態にしたことを特徴とする防食スリーブの装着工具。
【発明の詳細な説明】
【技術分野】
【０００１】
本発明は、防食スリーブの装着工具に関し、詳しくは水道配管の本管から支管へ分岐配管を行なうための分水栓の設置に際し、本管である金属管に通水口となる孔を穿孔したとき、その孔壁の切削面の腐食を防止するために装着する防食スリーブの装着工具に関する。
【背景技術】
【０００２】
従来よりこの種の防食スリーブは、各種の例が提案されている。例えば、特許文献１に記載されている防食スリーブは、縮径変形させた金属スリーブの外側にゴムスリーブを設けたものであり、この金属スリーブを工具を用いて拡径させてゴムスリーブを強制的に拡径させることにより、金属管の穿孔穴の切削面にこのゴムスリーブを密着させるようにした防食スリーブである（特許文献１参照）。また、これを改良するものとして、この金属スリーブがゴムスリーブより離脱しないように金属スリーブの上端部に係止部を設け、この係止部をゴムスリーブの上縁部に係止させた防食スリーブが提案されている（特許文献２参照）。また、合成ゴム軟質樹脂等の軟質スリーブ内側に金属等の軟質スリーブを圧入する二部構成として、軟質スリーブの抜け止めを行うものも提案されている（例えば、特許文献３参照）。
【特許文献１】特開平４−２５４０９１号公報
【特許文献２】実開平７−２３８９２号公報
【特許文献３】特開平９−４２５６７号公報
【発明の開示】
【発明が解決しようとする課題】
【０００３】
しかしながら、上記の従来の防食スリーブには次のような種々の問題点を有していた。即ち、縮径変形させた金属スリーブを工具によって拡径する際、流体などの影響を受けたり、また、工具と金属スリーブとの嵌合がきついために、金属スリーブを拡径させながら、工具を挿入させていく時に発生する抵抗力が、大きくなったり、縮径変形したスリーブを真円状に拡径するため、工具と金属スリーブとの嵌合寸法精度が非常に高くなり、工具を研磨するなど金属スリーブ、工具ともコストアップとなる。
【０００４】
また、従来の防食スリーブやその装着工具は、共に複雑な構造であるため、製作が困難であり、こうした理由からもコストアップの要因となる。また、防食スリーブは拡径後通水口を形成し、かつ、工具を引き抜くことができるように円周長さを調整して成形する必要があり、しかも、工具はこの防食スリーブを固定するため複雑な形状となり、高い寸法精度が必要となるばかりでなく、穿孔するためのドリル等の刃が回数を重ね、摩耗することによって穿孔穴径が小さくなった場合、装着が不完全となる確率が極めて高くなる等の課題を有していた。
【０００５】
更に、分水栓自体が水道本管に最初に固定した位置から、地震等によって、ずれ動くような外力が加わった場合、従来の防食スリーブは剛性が高くないため、スリーブ自体がそのずれを阻止することは不可能であった。また、特許文献３は、合成ゴムを用いた場合、金属スリーブとの摩擦抵抗が高く、装着が不完全となりやすく、また、軟質樹脂であっても、圧縮永久ひずみの特性が劣り、穿孔穴壁との密着性が悪くなる等の欠点を有している。本発明は上記の従来の課題を解決するために鋭意検討の結果、開発に至ったものであり、その目的とするところは、簡単な工具で防食スリーブを金属管の切削孔に確実に装着でき、しかも、穿孔穴のバラツキの影響を受けることなく、防食スリーブが作業時に分水栓内で脱落するおそれがなく、また、地震等で分岐方向からの引張力や、水道本管の管軸方向への移動の外力などが加わった場合でも、防食スリーブにせん断力が与えられるようにした防食スリーブの装着工具を提供することにある。
【課題を解決するための手段】
【０００６】
上記の目的を達成するため、請求項１に係る発明は上端部にフランジ部を有する筒体又は円柱体の外周部に係合溝を形成し、この筒体又は円柱体には、剛性スリーブとスリーブ本体を挿入して前記フランジ部に前記剛性スリーブの上端部を係合すると共に、前記剛性スリーブの下部を前記スリーブ本体の開口部より挿入すると共に、前記係合溝に前記スリーブ本体の内周面に形成した突起部を係合して仮固着状態にした防食スリーブの装着工具である。
【発明の効果】
【０００７】
以上のことから明らかなように、防食スリーブの装着は、移動させるだけの装着工程となるため、工具が簡素化となり、しかも装着の成功率も従来例に比較して極めて高くなる。また、金属スリーブ自体は、装着前後とも、変形がない円筒形状のため、製作が容易となるばかりでなく、金属管の穿孔穴のバラツキの影響をうけにくく、確実に装着される効果を有する。
【０００８】
更に、ゴムスリーブの内側に樹脂スリーブを備えたことで、ゴム及び樹脂スリーブを円滑に挿入したり、拡径することができ、また、樹脂スリーブを利用して工具とプレスフィットさせて固定することができるため、作業時に、分水栓内で防食スリーブが脱落するおそれがなく、従来の課題点を一挙に解消した防食スリーブを提供することができる。
【０００９】
また、金属スリーブ等の剛性スリーブは剛性が高い材料を使用しているので、地震等で分岐方向からの引張力や、水道本管の管軸方向への移動の外力などが加わった場合でも、防食スリーブにせん断力が与えられ、分水栓のずれを確実に阻止することができる等従来にはない優れた効果がある。
【発明を実施するための最良の形態】
【００１０】
図１は水道配管の本管１から支管へ分岐配管を行なうための止水機構２を有するサドル付き分水栓３を設置した状態を示す断面図である。同図において、本管である金属管１には、図示しない穿孔工具により通水口４となる孔を穿孔した際、その孔壁５の切削面の腐食を防止するための防食スリーブ６を装着している。
【００１１】
この防食スリーブ６は、後述する弾性スリーブ７の内径側に滑り特性が良く、かつ伸び特性が大きい樹脂筒層８を備えたスリーブ本体９の開口部１０より剛性スリーブ１１を挿入することによって樹脂筒層８を拡径すると同時に弾性スリーブ７を拡径させて通水口４である穿孔穴の孔壁５の切削面に弾性スリーブ７を密着させるものである。
【００１２】
この場合、図面に示すスリーブ本体９は、ゴムスリーブ７の内径側に滑り特性が良く、かつ伸び特性が大きい樹脂スリーブ８を挿入したものであり、このスリーブ本体９の開口部１０より、例えばステンレス製等の剛性のある厚肉状の金属スリーブ１１（または剛性のある硬質樹脂製スリーブでも良い。）を挿入することによって樹脂スリーブ８を拡径すると同時にゴムスリーブ７を拡径させる。この樹脂スリーブ８は、上端に鍔部８ａを設け、この鍔部８ａの開口内周面にテーパ部８ｂを設けると共に樹脂スリーブ８の下端内周面に突起部８ｃを形成する。
【００１３】
その他、スリーブ本体９は、図示しないがゴムスリーブ７の内径側に滑り特性が良く、かつ伸び特性が大きい樹脂をコーティングしたものでも良く、この場合は、ゴムスリーブ７自体に、上記に示した例と同様に、上端に鍔部と下端内周面に突起部を形成し、このゴムスリーブ７の内径側全体に樹脂をコーティングして成形する。
【００１４】
また、図６に示すように、上端部にフランジ部１２ａを有する筒体１２ｂの下端外周部に係合溝１２ｃを形成し、この筒体１２ｂには、鍔部１１ａを有する金属スリーブ１１とゴムスリーブ７の内径側に樹脂スリーブ８を備えたスリーブ本体９を挿入すると共に金属スリーブ１１の下端部を樹脂スリーブ８の開口部１０に挿入し、かつ筒体１２ｂの係合溝１２ｃに樹脂スリーブ８の下端内周面に形成した突起部８ｃを係合して、図７に示すように防食スリーブ６を装着工具１２に装着させる。次いで、この状態の装着工具１２で後述する金属管１の通水口４に防食スリーブ６を装着する。なお、図中１１ｂは金属スリーブ１１の外周面に形成した係止溝で、この係止溝１１ｂは樹脂スリーブ８からの金属管の引抜きを防止するものである。また、本実施例では中空の筒体１２ｂを用いているが、これは、中空ではない円柱体であっても良い。
【００１５】
次に、防食スリーブ６をサドル付き分水栓３と金属管１の孔壁５に装着する方法について説明する。まず、操作杆１２ｄを螺着した装着工具１２の筒体１２ｂに、金属スリーブ１１を挿入して金属スリーブ１１の鍔部１１ａをフランジ部１２ａに係合させ、次いで、この金属スリーブ１１には、ゴムスリーブ７の内径側に樹脂スリーブ８を備えたスリーブ本体９を筒体１２ｂに挿入して筒体１２ｂの係合溝１２ｃに樹脂スリーブ８の下端内周面に形成した突起部８ｃを係合し、かつ樹脂スリーブ８の開口部１０に金属スリーブ１１の下端部を挿入した状態で装着工具１２に防食スリーブ６を仮固着する。この装着工具１２を図２に示すように分水栓３と金属管１の通水口４に挿入してゴムスリーブ７を孔壁５に位置させる。このとき、樹脂スリーブ８の鍔部８ａは、後述する止水機構２の取付キャップ１９の内周面に形成した突条環部２１の上面に係合する。
【００１６】
次いで、図３に示すように装着工具１２を更に挿入させることにより金属スリーブ１１をスリーブ本体９の内周面に挿着して同図に示すように樹脂スリーブ８を拡径させる。更に、装着工具１２を挿入させて図４に示すようにゴムスリーブ７を拡径させて通水口４の孔壁５の切削面にゴムスリーブ７を密着させ、かつ樹脂スリーブ８の突起部８ｃが反転してゴムスリーブ７の下端部７ａが外方に突設されて金属管１の孔壁５の内端部に係合し、図４に示すように、金属管１の孔壁５に防食スリーブ６が密封状態で装着される。このとき防食スリーブ６が装着されたまま、装着工具１２は上方より引き抜くことができるので、図５に示す状態に確実に装着される。
【００１７】
また、図１において、金属管１の内面には、モルタルライニング層１ａが形成され、この金属管１には、サドル１３とバンド１４をボルトナット１５を介して固着されており、サドル１３には、分水栓本体１６を図示しないボルトで固着し、この本体１６には、Ｔ字型の貫通孔２ａを有するボール２ｂをステム２ｃを介して回動自在に設けた止水機構２を内蔵している。この本体１６には枝管を接続するための継手部１７を有する分岐部１８を設けている。なお、図中２ｄは一対のボールシート、２２はガスケットである。
【００１８】
また、この分水栓本体１６には、止水機構２を分水栓本体１６に装着するための取付キャップ１９をシート２０を介して螺着し、止水機構自体を予め調整出来るようにしている。更に、この取付キャップ１９の内周面に突状環部２１を設け、この突状環部２１は、樹脂スリーブ８の鍔部８ａと金属スリーブ１１のフランジ部１１ａを係合させると共に図示しない穿孔機と装着工具１２を案内するガイド機能を発揮している。
【図面の簡単な説明】
【００１９】
【図１】本発明におけるサドル付き分水栓の断面図である。
【図２】金属管に防食スリーブを装着する状態を示す拡大部分断面図である。
【図３】金属管に防食スリーブを装着する状態を示す拡大部分断面図である。
【図４】金属管に防食スリーブを装着する状態を示す拡大部分断面図である。
【図５】金属管に防食スリーブを装着した状態を示す拡大部分断面図である。
【図６】防食スリーブと装着工具を分離して示した分離斜視図である。
【図７】防食スリーブを装着工具に装着した状態を示す拡大部分断面図である。
【符号の説明】
【００２０】
１ 金属管
２ 止水機構
３ サドル付き分水栓
４ 通水口
５ 孔壁
６ 防食スリーブ
７ 弾性スリーブ
８ 樹脂スリーブ
８ａ 鍔部
９ スリーブ本体
１０ 開口部
１１ 金属スリーブ
１１ａ 鍔部
１２ 装着工具
１２ａ フランジ部
１２ｂ 筒体
【図１】
2006112634.tif 000003
【図２】
2006112634.tif 000004
【図３】
2006112634.tif 000005
【図４】
2006112634.tif 000006
【図５】
2006112634.tif 000007
【図６】
2006112634.tif 000008
【図７】
2006112634.tif 000009